(57)【要約】      （修正有）【課題】ヒモの物体を収納し、ヒモ状の前側・後側のいずれからも引き出すことができ、ストッパによりヒモを引き出した状態が維持され、ストッパを解除によりヒモが元の収納状態に戻る。【解決手段】ヒモは、複数個のプーリにらせん状に巻き付けられ、プーリ間の距離を変えることでヒモの収納部分の長さを変える。プーリには歯車を組み合わせ、ラックと噛み合い、直線状回転して移動することができる。プーリの４隅に歯車とプーリの組み合わせを配置する。歯車にはぜんまいを取り付け、歯車の回転力をバネ力として蓄えることで、引き出した後、バネ力により歯車は逆回転してヒモは元の収納状態に戻る。ヒモの前側・後側にストッパを配置し、ストッパが働いている間は、ヒモを自由に引き出せる。ストッパを解除するとヒモは逆回転し、ヒモは元の収納状態に戻る。【選択図】図６
2007137672.tif 000002
【特許請求の範囲】
【請求項１】
ヒモ状の物体が複数個のプーリに巻きつけてあり、プーリ間の距離を変えることによってヒモ引き出し部分の長さを変えることができ、かつ、ヒモの前側・後側のどちらからでも引き出しおよび収納できることを特徴とするヒモ収納装置。
【請求項２】
請求項１のプーリには、複数個の歯車が組み合わされており、歯車が回転しながらラックの上を移動することで、プーリ間の距離が変えられるとともに、プーリの姿勢を安定させることを特徴とするヒモ収納装置。
【請求項３】
請求項２項の歯車が回転する際、回転力をゼンマイやバネなどの弾性体に蓄えることで、ヒモを引き出した後に、弾性体の復元力によりヒモを元の収納状態に戻すことができることを特徴とするヒモ収納装置装置。
【請求項４】
請求項３項のヒモを引き出した状態に、ヒモ前側・後側に配置された２個のストッパにより、弾性体の復元力で元の収納状態に戻らないように引き出し状態が維持され、かつ、ストッパを解除するとヒモが元の収納状態に戻ることを特徴とするヒモ収納装置。
【発明の詳細な説明】
【技術分野】
【０００１】本発明は、ヒモ状の物体を収納する装置に関する。
【技術背景】
【０００２】従来、電気コードやイヤホンコードなどにおいて、ヒモ状の物体を片側より巻き取り収納する装置は存在している。また、ヒモ状の物体を前側・後側の両側から同時に同じ長さだけ巻き取り収納する装置も存在している。
【発明の開示】
【発明が解決しようとする課題】
【０００３】しかしながら、従来の方法ではヒモ状の物体の前側・後側を片方づつ引き出したり収納したりすることはできなかった。【０００４】本発明は、ヒモ状の物体を前側・後側のどちらからでも引き出したり収納したりすることのできる装置を提供するものである。
【課題を解決するための手段】
【０００５】ヒモを複数個のプーリに対してらせん状に巻きつけておく。このプーリ間の距離を変化させることで、ヒモの収納部の長さを変えることができる。ここで、ヒモの前側・後側のどちら側を収納するかをストッパで選択することにより、ヒモの前側・後側のどちらからでも収納することができる。【０００６】プーリ間の距離を変化させる方法として、プーリに歯車を組み合わせ、歯車はラックの上を回転しながら直線的に動けるようにする。これにより、プーリはラックで成されるレール上を直線的に移動することができる。この歯車とラックの組み合わせをプーリの４端に配置することで、プーリを安定した姿勢で直線的に移動させることができる。【０００７】ヒモを引き出すと、プーリ間の距離が縮まり、プーリに組み合わされた歯車はラックの上を回転しながら移動する。ここで、歯車の回転力をゼンマイやバネなどの弾性体にバネ力として蓄える。ヒモを引き出した後、ヒモから手を離すと、バネ力により歯車が引き出し時とは逆向きに回転することでプーリは元の位置に戻り、ヒモは元の収納状態に戻る。【０００８】ヒモを引き出した後、弾性体のバネ力により元の収納状態に戻らないようにするため、ヒモの前側・後側に位置するプーリにストッパを１個づつ取り付ける。ストッパを作動させた状態では、ヒモを引き出すことはできるが収納状態には戻らない。ストッパを解除するとバネ力で歯車が回転し、ヒモは元の収納状態に戻る。
【発明を実施するための最良の形態】
【０００９】以下に、本発明の実施形態を添付図面に基づいて説明する。
図１、図２、図３にヒモ収納装置の外観図を示す。ケース２からはヒモ１の先端であるヒモ前端１ａおよびヒモ後端１ｂが外に出ている。ヒモの前端１ａおよび後端１ｂは、それぞれストッパ（Ａ）４およびストッパ（Ｂ）５のボタンを押すことによりケース２に収納される。また、装置にはクリップ３が取り付けてあり、カバンや服などに留めた状態で使用することができる。【００１０】ヒモ収納装置からヒモとプーリの組み合わせ部分を取り出したものを図４に示す。ヒモ１はプーリ（Ａ）６からプーリ（Ｋ）１６に対してらせん状に巻き付けられている。プーリ（Ａ）６からプーリ（Ｆ）１１にはシャフト（Ａ）１７が差し込まれている。プーリ（Ｇ）１２からプーリ（Ｋ）１６にはシャフト（Ｂ）１８が差し込まれている。【００１１】図２のＡ−Ａ断面を図５に、Ｂ−Ｂ断面を図６に示す。シャフト１８はボックス２９に取り付けられており、ボックス２９とともに移動する。また、ボックスにはシャフト１９およびシャフト２０が取り付けられており、さらに、シャフト１９には歯車（Ａ）２１および歯車（Ｃ）２３が取り付けられている。同じく、シャフト２０には歯車（Ｂ）２２と歯車（Ｄ）２４が取り付けられている。歯車（Ａ）２１はラック（Ａ）２５と噛み合っており、歯車（Ａ）２１が回転することによりボックス２９が移動する。同様に歯車（Ｂ）２２とラック（Ｂ）２６が、歯車（Ｃ）２３とラック（Ｃ）２７が、歯車（Ｄ）２４とラック（Ｄ）２８が噛み合っている。さらに、歯車（Ａ）２１と歯車（Ｂ）２２が噛み合っており、歯車（Ｃ）２３と歯車（Ｄ）２４が噛み合っている。これら歯車とラックの噛み合いによりボックス２９の姿勢は安定し、また、歯車の回転により、ボックス２９はラックで成される直線に沿って移動することができる。【００１２】ヒモ１の前端１ａ・後端１ｂのいずれかを引き出すと、歯車（Ａ）２１〜歯車（Ｄ）２４が回転し、ボックス２９はシャフト（Ａ）１７の方に引き寄せられる。また、歯車が回転すると回転力がバネ力としてゼンマイ３０に蓄えられる。【００１３】図１のＣ−Ｃ断面を図７に示す。装置にはストッパ（Ａ）４およびストッパ（Ｂ）５が組み込まれており、ヒモ１の前端１ａおよび後端１ｂを引き出す際には自由に引き出せるが、収納状態に戻らないように作用する。【００１４】ストッパ（Ａ）４の断面図を図８に示す。プーリ（Ａ）６から出ているツメが板バネ３１に引っかかることで、プーリが逆回転することは妨げるが、プーリが順方向に回転する際は、自由に回転できる。ストッパを押したときの断面図を図９に示す。ストッパ（Ａ）４を押すと、板バネ３１が変形し、プーリ（Ａ）６から出ているツメとの噛み合いがなくなるため、プーリは逆回転できるようになり、ヒモから手を離すと、プーリ（Ａ）６はバネ力により逆回転して、ヒモは収納状態に戻る。ストッパ（Ｂ）５も同じ構造を持つ。
【発明の効果】
従来、ヒモの片端のみを巻き取って収納するヒモ収納装置や、ヒモの両端を同時に同じ長さづつ収納するヒモ収納装置は存在した。しかし、これらの装置ではヒモの前側・後側の引き出し長さをそれぞれ自由に変えることができないため、装置の使用時に、装置の位置を自由に決めることができない欠点があった。
今回提案する収納装置は、ヒモの前側・後側の引き出し長さをそれぞれ自由に変えることができるため、使用中に装置の位置を変えたり、逆にヒモ収納装置をカバンや服に固定しながらヒモの前側・後側の長さを調整したりすることがでる。
【図面の簡単な説明】
【図１】ヒモ収納装置の側面図である。
【図２】ヒモ収納装置の正面図である。
【図３】ヒモ収納装置の上面図である。
【図４】ヒモ収納装置のヒモとプーリシャフトの組み合わせ部分を取り出した図である。
【図５】正面図〔図２〕のＡ−Ａ断面図である。
【図６】正面図〔図２〕のＢ−Ｂ断面図である。
【図７】側面図〔図１〕のＣ−Ｃ断面図である
【図８】ストッパ部分の拡大図および断面図である。
【図９】ストッパ作動状況である。
【符号の説明】
１・・・ヒモ
１ａ・・・ヒモ前端
１ｂ・・・ヒモ後端
２・・・ケース
３・・・クリップ
４・・・ストッパ（Ａ）
５・・・ストッパ（Ｂ）
６・・・プーリ（Ａ）
７・・・プーリ（Ｂ）
８・・・プーリ（Ｃ）
９・・・プーリ（Ｄ）
１０・・・プーリ（Ｅ）
１１・・・プーリ（Ｆ）
１２・・・プーリ（Ｇ）
１３・・・プーリ（Ｈ）
１４・・・プーリ（Ｉ）
１５・・・プーリ（Ｊ）
１６・・・プーリ（Ｋ）
１７・・・シャフト（Ａ）
１８・・・シャフト（Ｂ）
１９・・・シャフト（Ｃ）
２０・・・シャフト（Ｄ）
２１・・・歯車（Ａ）
２２・・・歯車（Ｂ）
２３・・・歯車（Ｃ）
２４・・・歯車（Ｄ）
２５・・・ラック（Ａ）
２６・・・ラック（Ｂ）
２７・・・ラック（Ｃ）
２８・・・ラック（Ｄ）
２９・・・ボックス
３０・・・ゼンマイ
３１・・・板バネ
【図１】
2007137672.tif 000003
【図２】
2007137672.tif 000004
【図３】
2007137672.tif 000005
【図４】
2007137672.tif 000006
【図５】
2007137672.tif 000007
【図６】
2007137672.tif 000008
【図７】
2007137672.tif 000009
【図８】
2007137672.tif 000010
【図９】
2007137672.tif 000011